(57)【特許請求の範囲】
【請求項１】
告知放送用の存在を示す告知放送フラグ、前記告知放送フラグのバージョンおよび前記告知放送を告知する対象となる受信機の識別子からなる記述子を、ＢＳデジタル放送、ＣＳデジタル放送および地上デジタル放送からなるデジタル放送に挿入する記述子挿入部と、
前記記述子が挿入されたデジタル放送を変調変換する変調変換部と、
前記デジタル放送を混合して再送信する混合部と、
からなるデジタル放送再送信装置。
【発明の詳細な説明】
【技術分野】
【０００１】
本発明は、変調変換されて伝送されたデジタル放送信号を受信するデジタルＣＡＴＶシステムにおける告知放送システムおよびこれに用いるセンター機器に関わるものである。
【背景技術】
【０００２】
従来のＣＡＴＶ放送局は、各放送局から受信したＢＳ、地上デジタル放送について、変調方式をＣＡＴＶ用に変換するのに必要な最小限の記述子の追加、書き換えのみ行い、その他のストリームの内容は変更することなく再送信している。
【０００３】
したがって、従来の告知放送システムは、ＣＡＴＶ局において変調変換を行う前のＢＳデジタル放送、地上デジタル放送の、緊急警報フラグをそのまま用いて、放送局からの指示により、その局を視聴しているデジタルＣＡＴＶＳＴＢに対して緊急警報放送を実施するシステムとなっていた（例えば特許文献１及び非特許文献１を参照）。
【特許文献１】特開２００２−７７８４７号公報
【非特許文献１】ＪＣＴＥＡ  ＳＴＤ−００７−２．０「デジタル有線テレビジョン放送ＢＳ／広帯域ＣＳデジタル対応受信装置」解説  １０  緊急警報放送、緊急告知放送と地球温暖化防止について
【発明の開示】
【発明が解決しようとする課題】
【０００４】
従来のデジタルＣＡＴＶシステムにおける告知放送は、上述の通り、ＣＡＴＶ局が変調変換を行う前のＢＳデジタル放送、または地上デジタル放送の緊急警報フラグをそのまま用いて、放送局からの指示により告知放送を行うシステムになっているので、当該告知放送を行っている局を視聴しているデジタルＣＡＴＶＳＴＢのみが告知放送を受信可能であった。
【０００５】
すなわち、ＣＡＴＶ局が独自に告知放送を付加することはできず、また、他のネットワークを視聴しているデジタルＣＡＴＶＳＴＢは告知放送がある事を判別できないという課題があった。
【０００６】
それゆえに、本発明は、ＣＡＴＶ放送局が変調変換を行う前のＢＳデジタル放送、地上デジタル放送に含まれる緊急警報フラグとは別に、独自にデジタルＣＡＴＶＳＴＢに対して緊急警報フラグを送信可能なデジタルＣＡＴＶシステムを提供することを目的とする。
【０００７】
また、ＢＳデジタル放送、地上デジタル放送に含まれる緊急警報フラグとは別に緊急警報フラグを送信できる構成とすることで、デジタルＣＡＴＶＳＴＢが現在視聴しているネットワークにかかわらず、緊急警報放送の存在を判別可能にすることを目的とする。
【０００８】
さらに、ＣＡＴＶ局がＳＴＢ−ＩＤやＣＡＳ−ＩＤを利用して緊急警報フラグを送信することで、特定加入者や特定グループに属するＳＴＢに対してのみ緊急警報フラグを送信することを目的とする。
【課題を解決するための手段】
【０００９】
この課題を解決するために、本発明にかかる告知放送システムでは、緊急警報放送の存在を示す警報放送フラグと、この警報放送の存在を告知する対象となる受信機を示す識別ＩＤを、放送信号に多重して送信するセンター装置と、前記警報放送フラグの存在を検知し、かつ、自機ＩＤと前記識別ＩＤが一致する場合に、警報放送の存在を表示するデジタルＣＡＴＶＳＴＢを備える構成とした。
【発明の効果】
【００１０】
これにより、ＣＡＴＶ放送局は独自にデジタルＣＡＴＶＳＴＢに対して緊急警報フラグを送信可能となり、デジタルＣＡＴＶＳＴＢは現在視聴しているネットワークにかかわらず緊急警報放送の存在を判別可能となる。
【００１１】
また、ＣＡＴＶ局がＳＴＢ−ＩＤやＣＡＳ−ＩＤを利用して緊急警報フラグを送信することで、特定加入者や特定グループに属するＳＴＢに対してのみ緊急警報フラグを送信することが可能となる。
【発明を実施するための最良の形態】
【００１２】
以下本発明を実施するための最良の形態について、図面を参照しながら説明する。
【００１３】
（実施の形態１）
図１は、本発明の実施の形態１におけるデジタルＣＡＴＶ告知放送システムの構成図である。図２は、本発明の実施の形態１におけるリンク記述子２０１のデータを模式的に表した模式図であり、図２（ａ）はリンク記述子２０１の構造を、図２（ｂ）は本発明において拡張定義された告知放送用リンク記述子２０２を示している。図３は、本発明の実施の形態１におけるデジタルＳＴＢの動作処理フローを表したフローチャートである。
【００１４】
図１、図２及び図３を参照しながら説明する。
【００１５】
センター装置１００と、伝送路１０７、デジタルＣＡＴＶＳＴＢ１０８から構成されるデジタルＣＡＴＶシステムにおいて、センター装置１００は、ＢＳデジタル放送を変調変換するＢＳデジタルトランスミッター装置１０２、ＣＳデジタル放送を再多重するＣＡＴＶ  Ｒｅｍｕｘ装置１０３、地上デジタル放送を変調変換する地上デジタルトランスミッター装置１０４を備えている（以下、ＢＳデジタルトランスミッター装置１０２、ＣＡＴＶ  Ｒｅｍｕｘ装置１０３、地上デジタルトランスミッター装置１０４をまとめて「変調変換装置」という）。
【００１６】
また、センター装置１００は、変調変換装置（１０２〜１０４）の各々に告知放送用リンク記述子２０２を挿入する告知放送用リンク記述子挿入装置１０１と、変調変換装置（１０２〜１０４）と告知放送用リンク記述子挿入装置１０１を制御する制御装置１０５と、変調変換装置（１０２〜１０４）の出力信号を混合する混合装置１０６を有し、混合装置１０６で混合した信号は伝送路１０７へ送出される。
【００１７】
デジタルＣＡＴＶＳＴＢ１０８は伝送路１０７から信号を入力し、告知表示装置１０９とテレビ１１０へ出力するシステムを備えている。
【００１８】
まず、センター装置１００で、ＣＡＴＶ局から告知放送を行う場合の動作について説明を行う。
【００１９】
ＢＳデジタル放送を変調変換するＢＳデジタルトランスミッター装置１０２では、ＮＩＴ中の分配記述子を衛星のものからＣＡＴＶのものに書き換える機能を具備している。
【００２０】
この機能を拡張し、告知放送用リンク記述子挿入装置１０１によって作成したリンク記述子２０１のベンダーＩＤ以下のベンダー独自領域を用いて拡張定義した告知放送用リンク記述子２０２を、制御装置１０５の制御により、ＮＩＴの１ｓｔｌｏｏｐに挿入する。
【００２１】
ベンダー独自領域を用いた拡張定義は、リンク記述子２０１としての規約を逸脱しない範囲で行われるため、他ベンダーのデジタルＣＡＴＶＳＴＢ１０８へは影響を与えない。
【００２２】
ここで、リンク記述子２０１は、日本ケーブルラボ仕様「ＢＳデジタル放送トランスモジュレーション運用仕様」において、ダウンロードサービスを利用するために、ＪＣＴＥＡ  ＳＴＤ−００７−１．０のＳＤＴＴ方式以外を利用可能とするため定義された記述子であり、図２に示す構成が定義されている。本発明は、本来はダウンロードサービス用に定義されたリンク記述子２０１のベンダー独自領域を拡張し、告知放送用リンク記述子２０２として定義することで、「ＮＩＴの１ｓｔＬＯＯＰ」の規約を逸脱することなく告知放送用リンク記述子２０２を定義しようとするものである。
【００２３】
リンク記述子２０１自体は各ネットワークに挿入可能に定義されているため、どのネットワークを視聴中でも告知放送の検出が可能であり、かつ他ベンダーのデジタルＣＡＴＶＳＴＢ１０８へは影響を与えない方法を提供することが可能である。
【００２４】
本発明では、この拡張定義部分を用いてデジタルＣＡＴＶＳＴＢ１０８に対し告知放送の有無を送信する。併せて、この告知放送の送信を特定のデジタルＣＡＴＶＳＴＢ１０８に限定し、かつ、各放送局が告知放送を開始するタイミングで挿入することも可能である。
【００２５】
告知放送用リンク記述子２０２の拡張定義として、例えば、Ｇｒｏｕｐ＿ＩＤ  １６ｂｉｔのうち、ｂｉｔ位置１５＝０の場合は、残り１５ｂｉｔを用いてＳＴＢＩＤのグループを、ｂｉｔ位置１５＝１の場合は、残り１５ｂｉｔを用いてデジタルＣＡＴＶＳＴＢ１０８に挿入されているＣ−ＣＡＳＩＤのグループを指定する。
【００２６】
ここでＧｒｏｕｐ＿ＩＤで例えば地域ごとにデジタルＣＡＴＶＳＴＢ１０８を区別し管理している場合は、地域ごとに区別し告知放送を行うことが可能となる。また、番組視聴契約による区分管理を行う場合は、番組視聴契約ごとに告知放送を行うことが可能となる。どのような区分管理を行うかはＣＡＴＶ局の運用により決定される。
【００２７】
なお、告知放送用リンク記述子２０２におけるＤＬ＿ｐｒｏｃｅｄｕｒｅ＿ｆｌａｇ（８ｂｉｔ）については以下の様に定義する。
【００２８】
Ｂｉｔ位置７〜６の２ビットを用いて、告知放送のバージョン番号を定義する。告知放送の内容が更新される場合はこのビットを用いてバージョン番号をインクリメントする。これにより、前回の告知放送を受信したデジタルＣＡＴＶＳＴＢ１０８に対し、新しい告知放送があることを告知する。この場合、例えば「３」の次は「０」に戻るものとし、「３」から「０」への変化の場合も告知放送の内容更新を表すものと定義することができる。
【００２９】
Ｂｉｔ位置５〜３の３ビットを用いて、告知放送の選局先インデックスを定義する。この選局先インデックスはデジタルＣＡＴＶＳＴＢ１０８に予め記憶している選局先を指定するために用いる。
【００３０】
Ｂｉｔ位置２〜１の２ビットを用いて、告知放送の表示形態を指定する。例えば告知対象を現在視聴中のデジタルＣＡＴＶＳＴＢ１０８のみとする場合は「００」を記述し、この場合は視聴番組に重ねてＯＳＤ表示を行う。その他の値（「０１」「１０」「１１」）の場合は外部に接続した告知表示装置１０９を単独で使用またはテレビ１１０のＯＳＤ表示と併用して告知放送の存在を視聴者に知らせることができる。
【００３１】
なお、Ｇｒｏｕｐ＿ＩＤとＤＬ＿ｐｒｏｃｅｄｕｒｅ＿ｆｌａｇの構成方法は本実施の形態１に限定されず、他の構成方法であってもよい。また、ビット位置や、ビット数に関しても本実施の形態１に限定される訳ではない。
【００３２】
以上、ＢＳデジタルトランスミッター装置１０２の機能について説明したが、他のネットワークであるＣＡＴＶ  Ｒｅｍｕｘ装置１０３、地上デジタルトランスミッター装置１０４に対しても同様に、告知放送用リンク記述子２０２を、制御装置１０５の制御により、ＮＩＴの１ｓｔｌｏｏｐに挿入する。
【００３３】
混合装置１０６では、ＢＳデジタルトランスミッター装置１０２、ＣＡＴＶ  Ｒｅｍｕｘ装置１０３、地上デジタルトランスミッター装置１０４の出力信号を周波数多重し、伝送路１０７へ送出する。
【００３４】
このように、センター装置１００は、告知放送を行っているネットワークに限らず、全てのネットワークに告知放送用リンク記述子２０２を挿入するので、デジタルＣＡＴＶＳＴＢ１０８が現在どのネットワークを受信しているに関わらず、視聴者は告知放送の有無を確認可能となる。
【００３５】
次に、デジタルＣＡＴＶＳＴＢ１０８で告知放送を受信し、画面表示する場合の動作について、図３のフローチャートを用いて説明を行う。
【００３６】
デジタルＣＡＴＶＳＴＢ１０８では、いずれかのネットワークに属するデジタル放送を受信中は常にＮＩＴを監視しており、その内容が変更された場合はすぐに検出できる機能を具備している。
【００３７】
この機能を用い、ＮＩＴの１ｓｔｌｏｏｐにＤｅｓｃｒｉｐｔｏｒ＿ｔａｇ値０ｘ４Ａが挿入されているか比較する処理を行う（３０１）。
【００３８】
一致した場合は、続いて、ベンダーＩＤを比較する処理を行う（３０２）。
【００３９】
自分のベンダーＩＤと一致する場合は引き続きグループＩＤの比較処理を行い（３０３）、グループＩＤのｍｓｂの値を種別を定義するフラグ的に用い、「０」の場合にＳＴＢＩＤ、「１」の場合にＣ−ＣＡＳＩＤと定義する。ＳＴＢＩＤのグループとの比較処理を行う（３０５）、または、Ｃ−ＣＡＳのグループとの比較処理を行う（３０４）。
【００４０】
（３０４）または（３０５）の比較処理において、一致が検出された場合はＤＬ＿ｐｒｏｃｅｄｕｒｅ＿ｆｌａｇのバージョンと選局先インデックスを、不揮発メモリに記録している前回選局した値と比較処理を行い（３０６）、一致しない場合ＤＬ＿ｐｒｏｃｅｄｕｒｅ＿ｆｌａｇの表示形態を解析する。
【００４１】
ＤＬ＿ｐｒｏｃｅｄｕｒｅ＿ｆｌａｇの表示形態の値が０ｂ００かの比較処理を行い（３０７）、一致する場合は、視聴中のテレビ１１０に告知放送がある旨のオンスクリーンディスプレイ表示処理を行う（３１３）。
【００４２】
視聴者がオンスクリーンディスプレイの表示を確認し、告知放送の視聴を選択処理した場合（３１４）は、告知放送の表示を消し、不揮発メモリに記憶した選局先インデックスに対応した選局先を選局処理する（３１６）と共に、選局先インデックスとバージョンを不揮発メモリに上書き処理し（３１７）、告知放送選局の動作を終了する。
【００４３】
告知放送の視聴を選択しない場合（３１４）は、告知放送の表示を消す処理を行い（３１５）、選局先インデックスとバージョンを不揮発メモリに上書き処理し（３１７）、告知放送選局の動作を終了する。
【００４４】
（３０７）の比較処理で一致を検出できなかった場合、次に、ＤＬ＿ｐｒｏｃｅｄｕｒｅ＿ｆｌａｇの表示形態の値が０ｂ０１かの比較処理を行い（３０８）、一致する場合は、外部に接続した告知表示装置１０９を制御し、警告音を発生する処理を行い（３０９）、加入者に告知放送がある事を知らせる。
【００４５】
（３０８）の比較処理で一致を検出できなかった場合、同様に、ＤＬ＿ｐｒｏｃｅｄｕｒｅ＿ｆｌａｇの表示形態の値が０ｂ１０かの比較処理を行う（３１０）。表示形態の値が一致する場合は、外部に接続した告知表示装置１０９を制御し、表示処理を行い（３１１）、加入者に告知放送がある事を知らせる。
【００４６】
比較処理（３１０）で不一致の場合、外部に接続した告知表示装置１０９を制御し、警告音と表示を発生させ（３１２）、警告音と表示の両方で加入者に告知放送がある事を知らせる。
【００４７】
加入者は、告知表示装置１０９の表示部もしくは警告音発生部のどちらか、または両方の状態により告知放送があることを認識し、テレビ１１０の電源が切れている場合はテレビ１１０の電源を入れる。
【００４８】
以下、処理（３１３）以降同様の操作で、告知放送を選局しその内容を確認することができる。
【００４９】
このベンダーＩＤ判定処理（３０２）をベンダーＩＤのｌｏｏｐ回数分実行する。
【００５０】
なお、判定処理（３０６）により、一度選局した告知放送により告知表示装置１０９が再動作させられることを回避でき、加入者は同一の告知放送を複数回見せられることを防止できる。
【００５１】
このように、デジタルＣＡＴＶＳＴＢ１０８は、告知放送の存在を検知した場合に、テレビ１１０の消費電力よりはるかに消費電力の少ない、告知表示装置１０９を動作させ、かつテレビ１１０の電源については加入者の選択により電源オンを行うことで、電力消費にも配慮した告知放送システムを実現できる。
【００５２】
なお、本実施の形態１において、デジタルＣＡＴＶＳＴＢ１０８を特定するためのグループＩＤや、告知放送の表示形態や、選局先を特定するためのＤＬ＿ｐｒｏｃｅｄｕｒｅ＿ｆｌａｇのｂｉｔ割り当てを行っているが、この実施の形態１での割り当てに限定されるものではなく、センター機器１００とデジタルＣＡＴＶＳＴＢ１０８で予め同じ定義を行っていれば、他の割り当てでも良い。
【００５３】
また、本実施の形態１において、外部に接続した告知表示装置１０９を用いて告知放送の表示を行っているが、デジタルＣＡＴＶＳＴＢ１０８の表示機能や警告音発生機能を用いて告知放送の表示を行うことも可能である。
【００５４】
また、デジタルＣＡＴＶＳＴＢ１０８の受信以外の機能を休止した省電力モードでも告知放送の表示を行うことも可能であり、より電力消費の少ない告知放送システムを実現可能である。
【産業上の利用可能性】
【００５５】
本発明の告知放送システムは、変調変換されて伝送されるデジタルＣＡＴＶシステムにおいて、ＣＡＴＶ局からの告知放送の付加が可能となりＣＡＴＶ局毎のサービス向上として有用である。
【図面の簡単な説明】
【００５６】
【図１】実施の形態１におけるデジタルＣＡＴＶ告知放送システムの構成を示したブロック図
【図２】実施の形態１におけるリンク記述子のデータを模式的に表した図
【図３】実施の形態１におけるデジタルＣＡＴＶＳＴＢの動作を示したフローチャート
【符号の説明】
【００５７】
１００    センター装置
１０１    告知放送用リンク記述子挿入装置
１０２    ＢＳデジタルトランスミッター装置
１０３    ＣＡＴＶＲｅｍｕｘ装置
１０４    地上デジタルトランスミッター装置
１０５    制御装置
１０６    混合装置
１０７    伝送路
１０８    デジタルＣＡＴＶＳＴＢ
１０９    告知表示装置
１１０    テレビ
２０１    リンク記述子
２０２    告知放送用リンク記述子
【図１】
0004784286.tif 000002
【図２】
0004784286.tif 000003
【図３】
0004784286.tif 000004